(57)【要約】【課題】酸、アルカリの各濃度液に漬かっていても長時間に亘って腐食や変質を起こさないものであり、電極棒の減ら無い、渦流に対して耐摩耗性も有り又金属部の錆付き腐食等殆ど無い導電抵抗値も殆ど変わらない、容易にしかも迅速に交換可能で又更に汚れず扱いやすい電極式液面計用液面検出電極チップを提供する。【解決手段】本発明の電極式液面計用液面検出電極チップ１３はビニールチューブ５に対照的に２から５個のポンチ孔３を開け更にはポリアニリン塗料の中に浸漬けし乾燥したものと更には数ミリ¢の全ネジステンレスの棒片４を浸漬け乾燥したものを組み付け二三回浸漬け加熱乾燥を繰り返し固形化したものである。図１此の事により金属に近い導電固体を形成する。浸漬け中に於てはポンチ孔３からとチューブ５と棒片４の隙間から全ネジの谷間に添ってポリアニリン塗料が流れ出て隙間を充満す事になる。此のポリアニリン塗料はビニールと同化、導電耐食性に選れ此に着眼した。【選択図】  図１
2005172778.tif 000002
【特許請求の範囲】
【請求項１】
電極式液面計の電極棒の先端部に取り付けられる１００ミリＸ９ミリ¢位の寸法の物体で表面の層にはポリアニリン塗料に浸漬後乾燥した液絡部孔を２−５個設けた塩化ビニールチューブで出来ており又中層には切削加工を施した全ネジの金属棒６ミリ¢を浸漬けし中芯としております。従って此のチューブに此の中芯とする金属棒差し込んだものを更にポリアニリン塗料液に数分浸漬けし液垂の無いよう抜き上げし加熱乾燥し此の工程を数回繰り返す事により固形化状に仕上げる工法を経たものを特徴とする。電極式液面計用液面検出電極チップ。
【請求項２】
此のポリアニリン塗料は塩化ビニールチューブとの同化作用の有るものでアルカリ及び酸濃度の各液に接液しても実験の結果長期間に亘って変質や剥離に依る導電度の異状無い固有抵抗５ＫΩ以下のものを特徴としている。又電極棒本体との接続は接続ナットによるネジ込み又は溶接接続を施し更に此の周囲にポリアニリン塗料を塗り付け乾燥後此の接続部分及び周りを熱収縮チューブで加熱覆い此の塗料でシール対策を施したものである。
【発明の詳細な説明】
【発明の詳細な説明】
【技術分野】
【０００１】本発明は酸、アルカリ液貯槽及び化学反応を行なうための反応槽内の液面を表わしたり又液面の制御状態について良か否かや又液が溢れたり空になったりする異状状態を検出するための電極式液面計用液面検出電極チップに関する。
【背景技術】
【０００２】従来の酸、アルカリ貯槽や反応槽等の上下する液面の位置を検出する電極式液面表示警報計の液面検出電極には導電体で有り又防食用としてステンレス鋼の６ミリ¢の丸棒を先端部を数センチ残してあとはビニールチューブで覆ったもの或いは此の丸棒に取り付け部を残し全体を鉛コーテングを施したもの更には６ミリ¢の合金鋼（チタン、ハステロイ）の丸棒等が知られております。しかしながら此の合金鋼材等は高価なもので求めにくい、又此れ等の丸棒には高度な技術の切削加工や鉛コーテング作業を必要としている。
従って此の計器の設備工事の上で所要時間も増え工期にも影響を与え手間がかかる事になる。又これ等の電極棒で液面の位置を捉えるのは先端部分のみであり此の先端部に接液すると電極間に微少電流が流れ継電器を動作させる。
しかしながら此の電極棒の先端部の材料は鉛や合金鋼等防食金属のものを採用してはいるけれど全ての酸、アルカリ濃度液には対応できず或る濃度や温度、希釈度、に依っては対応出来ず数日間で金属腐食に依り電極棒の先端部が消滅し此の電極の長さ異状に依り継電器の動作点のずれから来る槽の液オーバーや槽の液不足、反応槽では未反応による製品の歩留まりが起こり不都合を生ずる事が度々有った。
【発明が解決しようとする課題】
【０００３】酸、アルカリの各濃度液に漬かっていても長時間に亘って腐食や変質を起こさないものであり、電極棒の減ら無い、渦流に対して耐摩耗性も有り又金属部の錆付き腐食等殆ど無い導電抵抗値も殆ど変わらない容易にしかも迅速にチップの交換が可能で又更に汚れずに扱いやすい、電極式液面計用液面検出チップを提供するものである。
【課題を解決するための手段】
【０００４】前述から中芯の全ネジのステンレスの棒片４をポリアニリン塗料に浸漬けした後加熱乾燥させ此の表面に導電被膜を作ります。又此のポリアニリン塗料の被膜は耐酸、耐アルカリ性が有り棒片４の腐食を防止できます。更に此の棒片４を覆っているビニールチューブ５には、２から５個の対照的にポンチ孔３ミリ¢３を開けております、そして此のチューブ５をポリアニリン塗料に浸漬けした後乾燥した事でチューブ５全体に被膜を造ります。
又此のポリアニリン塗料は塩化ビニール材と同化作用が有り此に着眼した、従って此の被膜は酸、アルカリ溶液に溶けたり、剥離する事等は長時間に亘っても無い、更に次の工程では此被膜の付着したチューブ５と全ネジステンレス棒片４を組み付け再びポリアニリン塗料に浸漬けする、此の工程ではポリアニリン塗料はビニールチューブ５と電極棒片４との隙間を流入し又もう一方では液絡部孔３即ちビニールチューブ５に開けたポンチ孔（３ミリ¢を２から５個）３から流入し中芯である全ネジステンレス棒片４のネジ部を伝わる事によりチューブ５と棒片４との隙間をポリアニリン塗料で充満することになる。
次に此の組み付けしたものを塗料が垂れないように静かに引き上げ加熱乾燥する。此工程を二三回繰り返すことで強固な固形状となる。此れが導電性のある酸、アルカリ各濃度液に強い電極式液面計用液面検出電極チップである。
【発明を実施するための最良の形態】
【０００５】酸、アルカリ濃度液貯漕及び反応漕計量漕１５には電極式液面計の検出部１６が設けられて居ります、此電極ホルダー１０には数本のビニール被覆付き電極棒２４、２５、２６が組込まれて居ります。
此の被覆付電極棒２４等の先端部には本発明品である液面検出電極チップ１３がネジ込み又は溶接付けで組み付けされ又電気的にも接続されて居ります。
此接続部７は電極チップ１３の接続用袋ナット７に被覆付き電極棒２４がねじ込まれて居り此の接続部分全体を熱収縮チューブ８で覆い熱を加え熱収縮シール対策を施して居ます。溶接付対策も同様です。
【実施例】
【０００６】以下本発明の実施例を添付図面に基ずいて説明する、図３に於て酸、アルカリ濃度液貯槽及び反応槽、計量槽１５等の液面の表示には電極式液面計を使用する事が有ります、そして此の電極式液面計の動作について述べますと各槽１５の架台１６に設けられた電極ホルダー１０には数本の電極棒が組み付けられております一番長いのをアース電極２０としてだんだんに短くなって居ます今液面が空の時は各電極間には微少電流は流れて無い、液面が上がって２番目に長い電極棒２１の先端に濃度液が接触すると液を通じて電極間に電流が流れ継電器１８を作動させ液面の位置を知らせる表示灯１９が点灯します。此の様にして液面の位置を知らせる被覆付電極棒２４、２５、２６の先端部にネジ込み又は溶接し組み付けられて居るのが本発明品である電極式液面計用検出電極チップである。
【発明の効果】
【０００７】以上のごとく電極式液面計用電極チップ１３は此を被覆付電極棒２４、２５、２６に先端部に具備する事により此の電極本体とチップ１３は酸、アルカリの各濃度液にも長期間に亘って耐食性及び耐摩耗性有る補強された電極棒２０、２１、２２となる。従って従来の電極棒とは異なり電極棒の先端が腐食、摩耗し短小となる事から生ずる液面計の表示誤差も無く又槽内の液不足や槽より液が溢れ出ることも無い。又電極棒２４等の補修や掃除を行う作業時には此の電極チップ１３を交換した方うが簡潔迅速に出来その割合には補修費も安く出来る利点が有る。液絡部孔３にポリアニリン塗料を充満乾燥させる事で耐摩耗性が出来電極棒２０等が磨り減る事も無くなると同時に此の孔からの電極の抵抗値は５キロΩ以下で有り微少電流は安定して流れ易くなっている、従って計器の誤動作も解消できている。
其の他此のチップ１３の導電被膜の剥離バラツキのため計器異常を生じた場合は上限異常表示が出て即座に計器異常が判別できプラス指向で有る。従来のごとく上限異常表示が出た時には旧電極棒等は短小となっており濃度液が槽より溢れ出ている事態がしばしば生じたが此の件も解決できる。
【図面の簡単な説明】
【図１】本発明の液面検出電極チップの断面図
【図２】本発明の液面検出電極チップの被覆付電極棒への接続断面図
【図３】各濃度液槽に設けた本発明の液面検出チップの実施例
【符号の説明】
１ポリアリニン被膜          ２４被覆付電極棒（長）
２電極棒ネジ（谷）の部分    ２５被覆付電極棒（中）
３ポンチ孔（液絡部孔）      ２６被覆付電極棒（短）
４全ネジステンレス電極棒片
５ビニールチューブ
６締め付けナット
７接続用袋ナット
８熱収縮チューブ
９押さえナット
１０碍子ホルダー
１１碍子
１２ナット端子
１３液面検出電極チップ
１４電極チップ接続部
１５酸、叉はアルカリ貯槽等
１６ホルダー取り付け架台
１７電気配線
１８継電器
１９表示灯
２０電極棒＋電極チップ（長）
２１電極棒＋電極チップ（中）
２２電極棒＋電極チップ（短）
２３液面
【図１】
2005172778.tif 000003
【図２】
2005172778.tif 000004
【図３】
2005172778.tif 000005